(57)【特許請求の範囲】
【請求項１】
既設のコンセントに差し込むための複数のプラグ端子と前記複数のプラグ端子の間に直列に接続された第一の電気抵抗と接続／遮断する第一のスイッチと、地震を検知して感震信号を出力する感震器又は外部の感震器から感震信号を受ける受信器と、前記感震器又は前記受信器が出力する前記感震信号により、前記第一のスイッチを所定の時間接続駆動するスイッチ駆動器と、前記スイッチ駆動器及び前記感震器又は前記受信器に電力を供給する電源と、これらを収納する筐体とを備え、前記プラグ端子は、前記筐体の一面から突出し、前記コンセントに前記プラグ端子が差し込まれた状態では、
前記第一の電気抵抗は、第一のスイッチが接続したときに、前記第一の電気抵抗と前記複数の前記プラグ端子間の電圧とにより決まる電流が前記コンセントを流れ、前記電流の値が、前記コンセントが接続されたブレーカを遮断するための遮断電流を越えるように設定されていて、前記所定の時間は、ブレーカが接続状態から遮断状態に移行する（トリップ）に必要な時間であり、
前記コンセントの端子間の電源電圧を検出して、前記電圧が検出される間は、前記ブレーカの遮断状態への移行が完了していないとし、前記電圧が検出されなくなった時点で前記ブレーカの遮断状態への移行が完了したとして、遮断状態への前記移行が完了するまでを前記所定の時間とし、前記所定の時間は、第一のスイッチを接続し続けることを特徴とするコンセント差込型感震ブレーカ遮断装置。
【請求項２】
既設のコンセントに差し込むための複数のプラグ端子と前記複数のプラグ端子の間に直列に接続された第一の電気抵抗と接続／遮断する第一のスイッチと、地震を検知して感震信号を出力する感震器又は外部の感震器から感震信号を受ける受信器と、前記感震器又は前記受信器が出力する前記感震信号により、前記第一のスイッチを所定の時間接続駆動するスイッチ駆動器と、前記スイッチ駆動器及び前記感震器又は前記受信器に電力を供給する電源と、これらを収納する筐体とを備え、前記プラグ端子は、前記筐体の一面から突出し、前記コンセントに前記プラグ端子が差し込まれた状態では、
前記第一の電気抵抗は、第一のスイッチが接続したときに、前記第一の電気抵抗と前記複数の前記プラグ端子間の電圧とにより決まる電流が前記コンセントを流れ、前記電流の値が、前記コンセントが接続されたブレーカを遮断するための遮断電流を越えるように設定されていて、前記所定の時間は、ブレーカが接続状態から遮断状態に移行する（トリップ）に必要な時間であり、
前記第一の電気抵抗の途中又は、前記分割した第一の電気抵抗の間である前記第一のスイッチの端子から、第三のスイッチ又は、前記第三のスイッチと直列に接続した第二の電気抵抗を介して前記筐体外の接地端子に接続する配線端子を備え、第三のスイッチは、前記前記スイッチ駆動器により接続駆動するようにしたことを特徴とするコンセント差込型感震ブレーカ遮断装置。
【発明の詳細な説明】
【技術分野】
【０００１】
本発明は、感震センサにより駆動するコンセントに差込型のブレーカ遮断装置に関するものである。
【背景技術】
【０００２】
地震後の火災発生は、地震により破壊した電気装置や配線に復帰した電力が供給されることで短絡して火災になる機会が極めて大きい。そのための対策として、従来、大きく分けて３つの対応策が提案されてきた。図５は、感震電源遮断装置の従来の提案を代表する出
願の図面を載せたものである。
【０００３】
１つ目は、ブレーカのスイッチのツマミを機械的動かすために、ツマミに係った紐とこれに繋がる錘を持つもので、錘が地震により落ちることで、紐が引かれ、ブレーカが遮断されるものである。特許文献１に見出すことができる。これは、図５の５&#8722;Ａに示すようなものである。これと同様な出願が、特開２０００&#8722;１１３７９７、特開平１１&#8722;２１９６４２、特開２００４&#8722;２９６４２１、特開２００６&#8722;１６４６４９、実用新案登録第３０１９２８６に見ることができる。
欠点は、ブレーカ１つ１つに付けなければならないことと、場所をとること、地震によりすぐ遮断になってしまい、遮断までに時間遅延をとることができないことである。
【０００４】
二つ目は、壁コンセントに差し込むプラグを備え、電気機器等に繋がるプラグ（負荷側）を差し込むコンセントを有し、プラグとコンセントの間に、電源を遮断するスイッチを備えて、このスイッチを感震手段により切断するようにしたものであり、電源が負荷側に繋がらないようにできる。特許文献２に見出すことができる。これは、図５の５&#8722;Ｂに示すようなものである。これと同様な出願が、特開２００４&#8722;３０４９６４、特開２００８&#8722;１７２９８７、特開２０１３&#8722;１５６１９３、特開２０１４&#8722;１６１２１３に見ることができる。
欠点は、この手段に接続した電気機器しか電力が遮断できないので、多くのコンセントを同時に遮断する場合は、沢山の手段が必要になることと、コンセントとブレーカ間の配線に不都合が起こることには対処できないことである。
【０００５】
三つ目は、配線の一方を電気抵抗を介して接地端子に接続するスイッチを設けて、地震センサにより、スイッチを駆動し、漏電ブレーカを遮断するものである。特許文献３に見出すことができる。これは、図５の５&#8722;Ｃに見出すようなものである。これと同様な出願が、特開２００４&#8722;３２８７６に見ることができる。
好都合な点は、漏電ブレーカは、全部のブレーカを集約した一番大元に存在するので、これが遮断すると、その建物の全電源が遮断になるため、例えば、コンセントとブレーカ間の配線に不都合が起こっても対処ができることである。欠点は、あるブレーカに関係した部分的な遮断をしたい場合には、対応できないことであり、このような要求に対応するもので、ブレーカのツマミ１つ１つに取り付ける１つ目の提案とは違ったもの、特に、既設の電気設備状態を変更することなく、ただコンセントに差し込むだけで、関連のブレーカを遮断できるものが必要とされた。このような観点で従来の提案を見ると、このような提案は見いだせない。
【先行技術文献】
【特許文献】
【０００６】
【特許文献１】特開２００３&#8722;２９７２１２
【特許文献２】特開平９&#8722;２１８０８３
【特許文献３】特開平１０&#8722;２３４１２８
【発明の概要】
【発明が解決しようとする課題】
【０００７】
本発明の課題は、コンセント差込型感震ブレーカ遮断装置は、コンセントに差し込んでおくだけで、感震したときに関連のブレーカを遮断できるブレーカ遮断装置を提供することである。
【課題を解決するための手段】
【０００８】
本発明にかかるコンセント差込型感震ブレーカ遮断装置は、コンセントに差し込むための複数のプラグ端子とこの間に電流を決めるための電気抵抗と接続又は遮断をするスイッチ
とを直列に備え、感震器又は外部の感震器から受けた感震信号によりスイッチを所定の時間接続駆動するスイッチ駆動器と、これらへ電力を供給する電源とこれらを収納する筐体とを備え、スイッチが接続された時間のみ所定の電流を流し関係するブレーカのみを遮断する。
以下、請求項に沿って記述する。
【０００９】
請求項１記載の発明は、コンセント差込型感震ブレーカ遮断装置であって、
既設のコンセントに差し込むための複数のプラグ端子と前記複数のプラグ端子の間に直列に接続された第一の電気抵抗と接続／遮断する第一のスイッチと、地震を検知して感震信号を出力する感震器又は外部の感震器から感震信号を受ける受信器と、前記感震器又は前記受信器が出力する前記感震信号により、前記第一のスイッチを所定の時間接続駆動するスイッチ駆動器と、前記スイッチ駆動器及び前記感震器又は前記受信器に電力を供給する電源と、これらを収納する筐体とを備え、前記プラグ端子は、前記筐体の一面から突出し、前記コンセントに前記プラグ端子が差し込まれた状態では、
前記第一の電気抵抗は、第一のスイッチが接続したときに、前記第一の電気抵抗と前記複数の前記プラグ端子間の電圧とにより決まる電流が前記コンセントを流れ、前記電流の値が、前記コンセントが接続されたブレーカを遮断するための遮断電流を越えるように設定されていて、前記所定の時間は、ブレーカが接続状態から遮断状態に移行する（トリップ）に必要な時間であり、
前記コンセントの端子間の電源電圧を検出して、前記電圧が検出される間は、前記ブレーカの遮断状態への移行が完了していないとし、前記電圧が検出されなくなった時点で前記ブレーカの遮断状態への移行が完了したとして、遮断状態への前記移行が完了するまでを前記所定の時間とし、前記所定の時間は、第一のスイッチを接続し続けることを特徴とする。
【００１０】
請求項２記載の発明は、コンセント差込型感震ブレーカ遮断装置であって、
既設のコンセントに差し込むための複数のプラグ端子と前記複数のプラグ端子の間に直列に接続された第一の電気抵抗と接続／遮断する第一のスイッチと、地震を検知して感震信号を出力する感震器又は外部の感震器から感震信号を受ける受信器と、前記感震器又は前記受信器が出力する前記感震信号により、前記第一のスイッチを所定の時間接続駆動するスイッチ駆動器と、前記スイッチ駆動器及び前記感震器又は前記受信器に電力を供給する電源と、これらを収納する筐体とを備え、前記プラグ端子は、前記筐体の一面から突出し、前記コンセントに前記プラグ端子が差し込まれた状態では、
前記第一の電気抵抗は、第一のスイッチが接続したときに、前記第一の電気抵抗と前記複数の前記プラグ端子間の電圧とにより決まる電流が前記コンセントを流れ、前記電流の値が、前記コンセントが接続されたブレーカを遮断するための遮断電流を越えるように設定されていて、前記所定の時間は、ブレーカが接続状態から遮断状態に移行する（トリップ）に必要な時間であり、
前記第一の電気抵抗の途中又は、前記分割した第一の電気抵抗の間である前記第一のスイッチの端子から、第三のスイッチ又は、前記第三のスイッチと直列に接続した第二の電気抵抗を介して前記筐体外の接地端子に接続する配線端子を備え、第三のスイッチは、前記前記スイッチ駆動器により接続駆動するようにしたことを特徴とする。
【発明の効果】
【００１１】
以上の様に構成されているので、本発明によるコンセント差込型感震ブレーカ遮断装置は、コンセントに差し込んでおくだけで、所定の規模の地震があると、即座又は所望の時間遅延の後に、コンセントに関係するブレーカを遮断することができる。
【図面の簡単な説明】
【００１２】
【図１】本発明のコンセント差込型感震ブレーカ遮断装置の一実施態様を示す図である。
【図２】本発明のコンセント差込型感震ブレーカ遮断装置の使用状態の一実施態様を示す図である。
【図３】本発明のコンセント差込型感震ブレーカ遮断装置の他の実施態様を示す図である。
【図４】本発明のコンセント差込型感震ブレーカ遮断装置の他の実施態様を示す図である。
【図５】従来の感震電源遮断装置の例を示す図である。
【発明を実施するための形態】
【００１３】
本発明によるコンセント差込型感震ブレーカ遮断装置は、コンセントに差し込むための複数のプラグ端子とこの間に電流を決めるための電気抵抗と接続又は遮断をするスイッチとを直列に備え、感震器又は外部の感震器から受けた感震信号によりスイッチを所定の時間接続駆動するスイッチ駆動器と、これらへ電力を供給する電源とこれらを収納する筐体とを備え、スイッチが接続された時間のみ所定の電流を流すことで、コンセントが繋がるブレーカの遮断電流以上の電流とし、ブレーカが遮断するように構成されている。
以下図に沿って説明する。
【００１４】
図１は、本発明のコンセント差込型感震ブレーカ遮断装置の一実施態様を示す図である。
１&#8722;Ａにおいて、
筐体１１０の１面からはみ出して複数のプラグ端子１２０（図では２端子）が出ている。プラグ端子１２０は、壁等に既設されたコンセントに差し込まれるものである。
筐体１１０の内部側の複数のプラグ端子１２０間には、第一の電気抵抗１３０と接続又は遮断をする第一のスイッチ１４０が直列に接続される。第一の電気抵抗１３０の値は、第一のスイッチ１４０が接続して電流が流れたときに、ブレーカが遮断する大きさになるように設定される。
【００１５】
第一のスイッチ１４０の接続は、地震が検知したときに行われる。そのため、感震又は外部の感震器から感震信号を受信するための感震・受信器１５０により感震信号を得て、感震信号により所定の時間のみ第一のスイッチ１４０を駆動するスイッチ駆動器１６０を備えている。
【００１６】
所定の時間の例としては、ブレーカがトリップするに必要な時間であり、また、感震信号を得てから例えば３分後のように所望の時間遅延後からトリップするに必要な時間とすることができる。また、コンセントの端子間の電源電圧を検出して、電圧が検出される間は、ブレーカのトリップが完了していないとし、電圧が検出されなくなった時点でブレーカのトリップが完了したとして、ここまでをトリップするに必要な時間として、第一のスイッチ１４０を駆動することもできる。
このため、スイッチ駆動器１６０には、時間遅延やトリップ時間の設定を行える機能があり好都合である。時間遅延は、すぐにブレーカが遮断して照明灯が切れると避難が危険になるため、避難の間、照明灯を点灯しておくなどの必要がある場合があり、このような場合に対応するためである。
【００１７】
スイッチ駆動器１６０は、このように、時間遅延やトリップ時間の所定時間の間、第一のスイッチ１４０を接続するよう駆動する。この時間の間、第一の電気抵抗１３０と電源の
電圧で決まる電流がコンセントに繋がったプラグ端子１２０間に流れる。この電流は、コンセントに繋がるブレーカの遮断（トリップ）電流値より大きく設定されるので、ブレーカが遮断する。所定の時間の後は、第一のスイッチ１４０は再び遮断状態になるが、ブレーカは人為的に接続投入されるまで遮断状態を継続する。
スイッチ駆動器１６０と感震又は外部の感震器から感震信号を受信する感震・受信器１５０に駆動のための電力を与える電源１７０を備えるのは当然である。
【００１８】
１&#8722;Ｂにおいて、１&#8722;Ａの筐体１１０と１面から突出したプラグ端子１２０を示す。このように既設のコンセントに差込み可能に構成される。
【００１９】
１&#8722;Ａでは、電池などで電源１７０を構成した場合だったが、１&#8722;Ｃでは、電源１７０の別の構成として、第一のスイッチ１４０の両端の端子（図示に例）又は、プラグ端子１２０間から引き出した配線１７１を整流器１７２に与え、コンデンサ１７３で平滑して、充電電池１７４（二次電池）を充電する。充電電池１７４が、常時、スイッチ駆動器１６０と感震又は外部の感震器から感震信号を受信する感震・受信器１５０に電力を供給する。図のように配線１７１を第一のスイッチ１４０の両端の端子からとった場合は、第一のスイッチ１４０が接続になった時には、整流器１７２にかかる電圧がゼロになるので、充電電池１７４からの逆流を押さえるためには、ダイオード１７５を図の向きに入れる必要がある。プラグ端子１２０間から配線１７１を引き出した場合には、整流器１７２にかかる電圧は、常にコンセントから与えられる電圧であり、ゼロになることはないため、ダイオード１７５は不要である。
【００２０】
なお、スイッチ駆動器１６０は、いろいろな構成が取れるが、この図では、第一のスイッチ１４０を電磁接点とし、接点を駆動する電磁石のコイル１６１とこれに直列の接続した第二のスイッチ１６２を電源１７０間にいれ、第二のスイッチ１６２を制御器１６３で駆動するように構成してもよい。制御器１６３は、第二のスイッチ１６２を駆動する機能以外に、前述の所定の時間を与える機能、場合によっては、感震器からの震動信号を受けて、所定以上の大きさでしかも地震動であることを判断する機能を備えてもよい。
【００２１】
又、第一のスイッチ１４０にサイリスタ等の半導体スイッチをもちれば、サイリスタのゲートを制御器１６３の出力で駆動することにすれば、第一のスイッチ１４０とスイッチ駆動器１６０を簡単な構成にできる。しかしながら、半導体スイッチは、内部抵抗がこれらの用途としては高いため、通常の接点スイッチに比べ不利である。このようにいろいろな構成ができるので、図示に例にこだわらない。
【００２２】
尚、第一の電気抵抗１３０は、第一のスイッチ１４０の片側に付けたが、両側に分割して入れることも可能である。図４には、このような事情を記述している。第一の電気抵抗１３０は、第一の電気抵抗１３０Ａ、１３０Ｂの二つの電気抵抗に分割して配置されている。
【００２３】
図２は、本発明のコンセント差込型感震ブレーカ遮断装置の使用状態の一実施態様を示す図である。
２&#8722;Ａには、壁等に既設のコンセントスタック２１０を示し、複数のコンセント２１０Ａ、２１０Ｂ、・・・が集合され（勿論単独でもよい）、ブレーカ２２０Ａに繋がっている。
他のコンセントスタックや機器に直接繋がったブレーカも含めて集約して漏電ブレーカ２３０が繋がり、屋外の電源に接続している。漏電ブレーカ２３０は、屋内のどこで漏電が有っても漏電があれば、電源遮断になる。２&#8722;Ｂには、通常のプラグ２４０が示され、例えば、コンセント２１０Ａに差し込まれる。２&#8722;Ｃに示すのは、図１の１&#8722;Ａのコンセント差込型感震ブレーカ遮断装置１００であるが、１&#8722;Ｂのものでもよい。その形態は、図
１の１&#8722;Ｂのようであった。プラグ端子１２０を例えば、コンセント２１０Ｄに差し込んでおく。
【００２４】
２&#8722;Ｄには、コンセント差込型感震ブレーカ遮断装置１００がコンセント２１０Ｄに差し込まれた状態を示す。このような状態で、地震があり、感震信号があると、所定の時間だけ第一のスイッチ１４０が接続し、第一の電気抵抗１３０と電圧で決まる電流がコンセント２１０Ｄに流れて、ブレーカ２２０Ａがトリップし遮断状態になり、再度手動で接続状態にするまでこの状態を継続する。コンセント差込型感震ブレーカ遮断装置１００が差し込まれていないブレーカ２２０Ｂ、２２０Ｃは遮断しない。
【００２５】
図３は、本発明のコンセント差込型感震ブレーカ遮断装置の他の実施態様を示す図である。
第一の電気抵抗１３０の途中から引出しこれに第三のスイッチ３０１を接続し、これを筐体１１０の外に引出し、他の接地端子に接続する。第三のスイッチ３０１は、感震信号を受けて、スイッチ駆動器１６０により駆動され、接続される。接続されると、漏電があったことになるので、ブレーカ以外に漏電ブレーカ２３０が遮断となる。尚、図では示していないが、第三のスイッチに直列に第二の電気抵抗を負荷すると、漏電電流の設定が容易になる。
【００２６】
尚、感震器として使えるものは、多くの例があるが、特許文献での例を見ると、特開２０１３&#8722;２４７６９、特開２００９&#8722;１５６７４３、特開２００８&#8722;１４５１１５、特開２００６&#8722;１０５６３２、特開２００２&#8722;２４３５３１、特開２００１&#8722;１０８５１６、特開平１１&#8722;１９０６５７等に見出される。また、小型で使いやすい市販品として、株式会社生方製作所が製造販売をしているので、部品として採用できる。また、圧力センサで振動を計測し、これを周波数分析して、地震動を検出する手段も使用できる。
【産業上の利用可能性】
【００２７】
以上のように本発明によるコンセント差込型感震ブレーカ遮断装置は、コンセントに差し込んでおくだけで、所定の規模の地震があると、即座又は所望の時間遅延の後に、コンセントに関係するブレーカを遮断するので、産業上利用して極めて好都合である。
【符号の説明】
【００２８】
１００  コンセント差込型感震ブレーカ遮断装置
１１０  筐体
１２０  プラグ端子
１３０  第一の電気抵抗
１４０  第一のスイッチ
１５０  感震・受信器
１６０  スイッチ駆動器
１６１  電磁石のコイル
１６２  第二のスイッチ
１６３  制御器
１７０  電源
１７１  配線
１７２  整流器
１７３  コンデンサ
１７４  充電電池
１７５  ダイオード
２１０  コンセントスタック
２１０Ａ、２１０Ｂ・・・・コンセント
２２０Ａ、２２０Ｂ・・・・ブレーカ
２３０  漏電ブレーカ
３０１  第三のスイッチ
【図１】
0006575012.tif 000002
【図２】
0006575012.tif 000003
【図３】
0006575012.tif 000004
【図４】
0006575012.tif 000005
【図５】
0006575012.tif 000006